(57)【要約】本発明は、材料ウェブをバッチロール（２０）に巻き上げるための巻取装置（１８）に材料ウェブ、特に紙または厚紙ウェブの供給ストリップを引き渡すための方法に関する。本発明によれば、材料ウェブまたは供給ストリップは、支持ドラム（２２）によって案内され、巻取ニップ（２４）が支持ドラム（２２）とバッチロール（２０）との間に形成される。供給ストリップの引き渡し中、巻取ニップ（２４）の線力（ＬＫ）は、供給ストリップの近傍において巻取ニップ（２４）の残りの領域におけるよりも高い値に設定される。本発明はまた、対応する巻取装置（１８）に関する。
2005534590.tif 000002
【特許請求の範囲】
【請求項１】
材料ウェブをスプール（２０）に巻き上げるための巻取装置（１８）に前記材料ウェブ、特に紙または厚紙ウェブの供給ストリップを引き渡すための方法であって、前記巻取装置で前記材料ウェブまたは前記供給ストリップが支持ドラム（２２）の上方に導かれ、また巻取ニップ（２４）が支持ドラム（２２）とスプール（２０）との間に形成される方法において、巻取ニップ（２４）の線力（ＬＫ）が、前記供給ストリップの引き渡し中に、前記供給ストリップの領域において巻取ニップ（２４）の残りの領域におけるよりも高い値に設定されることを特徴とする方法。
【請求項２】
前記供給ストリップが、２つの横方向縁部領域の一方の巻取ニップ（２４）を通して導かれることと、線力（ＬＫ）が、巻取ニップ（２４）の関連横方向縁部領域において他方の横方向縁部領域におけるよりも高い値に設定されることを特徴とする、請求項１に記載の方法。
【請求項３】
他方の横方向縁部領域の線力（ＬＫ）が値ゼロに設定されることを特徴とする、請求項２に記載の方法。
【請求項４】
オペレータ側のおよび巻取ニップ（２４）の駆動側の線力（ＬＫ）が、異なる高さの値に設定され、前記供給ストリップの側面においてより高い値に設定されることを特徴とする、請求項２または３に記載の方法。
【請求項５】
巻取ニップ（２４）の線力（ＬＫ）が、移動可能または変位可能なスプール（２０）を介して設定されることを特徴とする、請求項１〜４のいずれか１項に記載の方法。
【請求項６】
スプール（２０）が、前記供給ストリップの領域において、巻取ニップ（２４）の残りの領域よりも支持ドラム（２２）に対してより確実に押圧されることを特徴とする、請求項５に記載の方法。
【請求項７】
スプール（２０）が支持ドラム（２２）に対して斜めに設定されることを特徴とする、請求項５または６に記載の方法。
【請求項８】
静止支持ドラム（２２）が使用されることを特徴とする、請求項５〜７のいずれか１項に記載の方法。
【請求項９】
前記供給ストリップが、巻取装置（１８）の１次領域に供給されることを特徴とする、請求項５〜８のいずれか１項に記載の方法。
【請求項１０】
前記供給ストリップが、巻取装置（１８）の２次領域に供給されることを特徴とする、請求項５〜８のいずれか１項に記載の方法。
【請求項１１】
巻取ニップ（２４）の線力（ＬＫ）が、移動可能または変位可能なスプール（２０）を介して設定されることを特徴とする、請求項１〜４のいずれか１項に記載の方法。
【請求項１２】
支持ドラム（２２）が、前記供給ストリップの領域において、巻取ニップ（２４）の残りの領域よりもスプール（２０）に対してより確実に押圧されることを特徴とする、請求項１１に記載の方法。
【請求項１３】
支持ドラム（２２）がスプール（２０）に対して斜めに設定されることを特徴とする、請求項１１または１２に記載の方法。
【請求項１４】
スプール（２０）が、巻取直径の増加を補償するために静止または移動可能であることを特徴とする、請求項１１〜１３のいずれか１項に記載の方法。
【請求項１５】
前記供給ストリップが、巻取装置（１８）の１次領域に供給されることを特徴とする、請求項１１〜１４のいずれか１項に記載の方法。
【請求項１６】
前記供給ストリップが、巻取装置（１８）の２次領域に供給されることを特徴とする、請求項１１〜１４のいずれか１項に記載の方法。
【請求項１７】
特に、請求項１〜１６のいずれか１項に記載の方法を実施するために、前記材料ウェブ、特に紙または厚紙ウェブをスプール（２０）に巻き上げるための巻取装置（１８）であって、該巻取装置で前記材料ウェブが支持ドラム（２２）の上方に導かれ、また巻取ニップ（２４）が支持ドラム（２２）とスプール（２０）との間に形成される巻取装置において、前記材料ウェブの供給ストリップを引き渡すために、前記供給ストリップの領域において巻取ニップ（２４）の残りの領域におけるよりも高い値に巻取ニップ（２４）の線力（ＬＫ）を設定できることを特徴とする巻取装置。
【請求項１８】
前記供給ストリップが、２つの横方向縁部領域の一方の巻取ニップ（２４）を通して導かれることと、線力（ＬＫ）が、巻取ニップ（２４）の関連横方向縁部領域において他方の横方向縁部領域におけるよりも高い値に設定されることを特徴とする、請求項１７に記載の巻取装置。
【請求項１９】
他方の横方向縁部領域の線力（ＬＫ）が値ゼロに設定されることを特徴とする、請求項１８に記載の巻取装置。
【請求項２０】
オペレータ側のおよび巻取ニップ（２４）の駆動側の線力（ＬＫ）を異なる高さの値に設定でき、前記供給ストリップの側面においてより高い値に設定できることを特徴とする、請求項１８または１９に記載の巻取装置。
【請求項２１】
移動可能または変位可能なスプール（２０）を介して、前記巻取ニップの線力（ＬＫ）を設定できることを特徴とする、請求項１〜２０のいずれか１項に記載の巻取装置。
【請求項２２】
前記供給ストリップの領域において巻取ニップ（２４）の残りの領域よりも確実にスプール（２０）を支持ドラム（２２）に押圧できることを特徴とする、請求項２１に記載の巻取装置。
【請求項２３】
スプール（２０）を支持ドラム（２２）に対して斜めに設定できることを特徴とする、請求項２１または２２に記載の巻取装置。
【請求項２４】
支持ドラム（２２）が静止していることを特徴とする、請求項２１〜２３のいずれか１項に記載の巻取装置。
【請求項２５】
前記供給ストリップを巻取装置（１８）の１次巻取領域に供給することができることを特徴とする、請求項２１〜２４のいずれか１項に記載の巻取装置。
【請求項２６】
前記供給ストリップを巻取装置（１８）の２次巻取領域に供給することができることを特徴とする、請求項２１〜２４のいずれか１項に記載の巻取装置。
【請求項２７】
支持ドラム（２２）が移動可能または変位可能であり、また支持ドラム（２２）を介して巻取ニップ（２４）の線力を設定できることを特徴とする、請求項１７〜２０のいずれか１項に記載の巻取装置。
【請求項２８】
前記供給ストリップの領域において巻取ニップ（２４）の残りの領域よりも確実に支持ドラム（２２）をスプール（２０）に押圧できることを特徴とする、請求項２７に記載の巻取装置。
【請求項２９】
支持ドラム（２２）をスプール（２０）に対して斜めに設定できることを特徴とする、請求項２７または２８に記載の巻取装置。
【請求項３０】
スプール（２０）が、巻取直径の増加を補償するために静止または移動可能であることを特徴とする、請求項２７〜２９のいずれか１項に記載の巻取装置。
【請求項３１】
前記供給ストリップを巻取装置（１８）の１次領域に供給することができることを特徴とする、請求項２７〜３０のいずれか１項に記載の巻取装置。
【請求項３２】
前記供給ストリップを巻取装置（１８）の２次領域に送ることができることを特徴とする、請求項２７〜３０のいずれか１項に記載の巻取装置。
【発明の詳細な説明】
【技術分野】
【０００１】
本発明は、材料ウェブをスプールに巻き上げるための巻取装置に材料ウェブ、特に紙または厚紙ウェブの供給ストリップを引き渡すための方法であって、巻取装置で材料ウェブまたは供給ストリップが支持ドラムの上方に導かれ、また巻取ニップが支持ドラムとスプールとの間に形成される方法に関する。さらに、本発明は、請求項１７の序文による巻取装置に関する。
【背景技術】
【０００２】
前述のタイプの巻取装置は、例えば文献、
【特許文献１】、
【特許文献２】、
【特許文献３】、
【特許文献４】および
【特許文献５】から公知である。
【０００３】
製紙機械における対応する供給操作の以前の通常の一般的な順序は、次の段階を含む。
−乾燥セクションの終わりにおいて、すなわち最後の乾燥シリンダで、紙ウェブは全幅でパルパに送り込まれる。
−ストリップは、例えば先端カッタによって切断される。
−ストリップは、最後の乾燥シリンダから取り除かれ、またロープガイド、真空テープ、空気プレート等によって巻取装置またはリールアップに引き渡される。
−ストリップは持ち上げられ、きつく引っ張られる。
−ストリップはウェブ全幅に走行される。
【０００４】
この場合、ストリップに使用されるクランプ点は、支持ドラムと空のスプールとの間に形成された巻取ニップまたはニップである。
【０００５】
ニップの線力は押圧によって生成され、空のスプールが支持ドラムに適切に押圧されるかあるいは支持ドラムが空のスプールに適切に押圧される。
【０００６】
支持ドラムに対する空のスプールの押圧あるいは空のスプールに対する支持ドラムの押圧は、通常、２つの油圧シリンダによって実施され、１つのシリンダはオペレータ側に、１つのシリンダは駆動側に設けられ、それらのシリンダは同一の圧力で作動される。オペレータ側および駆動側の均一な押圧または同一の押圧力の結果、その全幅にわたって閉じられるニップが得られる。
【０００７】
さらに、一般に、従来、レール上に、あるいはレール上の切り替え位置と水平位置との間に供給位置が設けられてきた。従来、線力の分布は、一般に、次の変数に関係してきた。
−押圧力のレベル
−切り替え位置（切り替え角度）
−支持ドラムおよびスプールの剛性
−支持ドラムおよびスプールの表面の構造（鋼、ゴムカバー、硬度）
−支持ドラムおよびスプールの直径。
【０００８】
この場合、機械の中心に対する線力または圧力の分布は、従来、常に対称であった。
【特許文献１】独国特許出願公開第  １９８  ２２  ２６１  Ａ１号明細書
【特許文献２】独国特許出願公開第  １９８  ５２  ２５７  Ａ１号明細書
【特許文献３】独国特許出願公開第  １９９  ３９  ５０６  Ａ１号明細書
【特許文献４】国際公開第９８／５２８５８号パンフレット
【特許文献５】欧州特許第  ０  ４８３  ０９２  Ｂ１号明細書
【発明の開示】
【発明が解決しようとする課題】
【０００９】
供給ストリップの供給または引き渡し中、特に、縮んだゴムカバーの支持ドラムの場合、問題が生じる可能性がある。例えば、縮んだ支持ドラムは、直径の縮小を意味する。ニップ力または圧力は、関連する点においてより低く、極端な場合、ニップは関連する点において開くことがあり、すなわちもはや完全に閉鎖されない。次に、引き渡しストリップはもはや把持できない。
【００１０】
本発明は、前述の問題が除去される冒頭に述べた種類の方法の改良および巻取装置の改良を提供する目的に基づく。この場合、特に、引き渡しストリップが到着する箇所で巻取ニップまたはニップが各々の場合に閉鎖されることを確実にすることが意図される。
【課題を解決するための手段および発明の効果】
【００１１】
方法に関し、本発明によれば、上記目的は、巻取ニップの線力が、供給ストリップの引き渡し中に、供給ストリップの領域において巻取ニップの残りの領域におけるよりも高い値に設定されることにおいて達成される。
【００１２】
供給ストリップが２つの横方向縁部領域の一方の巻取ニップを通して導かれる場合、線力は、巻取ニップの関連横方向縁部領域において他方の横方向縁部領域におけるよりも高い値に設定されることが好ましい。この場合、他方の横方向縁部領域の線力を特に値ゼロに設定することもできる。
【００１３】
本発明による方法の実用的な改良によれば、オペレータ側のおよび巻取ニップの駆動側の線力は、異なる高さの値に設定され、供給ストリップの側面においてより高い値に設定される。
【００１４】
移動可能または変位可能なスプールを介して、および／または移動可能または調整可能な支持ドラムを介して、巻取ニップの線力を設定できる。
【００１５】
例えば、移動可能または変位可能なスプールを介して巻取ニップの線力を設定できる場合、有利に、スプールは、供給ストリップの領域において、巻取ニップの残りの領域よりも支持ドラムに対してより確実に押圧される。
【００１６】
スプールは、特に、支持ドラムに対して斜めに設定することもできる。
【００１７】
静止支持ドラムを使用することが適切である。
【００１８】
例えば、供給ストリップは、１次領域または２次領域の巻取装置に供給することができる。巻取装置のこのような１次および２次領域によって理解されることは、当業者によく知られており、例えば、冒頭に言及した文献から理解される。例えば、１次領域に新しいスプールを用意し、支持ドラムと共に新しい巻取ニップを形成するスプール交換位置に運ぶことができる。このために、例えば、１次移送装置を設けることができる。次に、例えば、２次移送装置は、開始された新しい巻取リールで新しいスプールを引き継ぐことができる。
【００１９】
したがって、本発明は、例えば、
【特許文献５】に記載されているような巻取装置に適用することができ、またこの巻取装置で、移動可能または変位可能なスプールを介して巻取ニップの線力を設定できる。この文献の内容は、本出願の内容に参考として組み込まれている。
【００２０】
本発明による方法の代わりの適切な改良によれば、巻取ニップの線力は、移動可能または変位可能な支持ドラムを介して設定される。
【００２１】
巻取ニップの線力が移動可能または変位可能な支持ドラムを介して設定される場合、支持ドラムは、供給ストリップの領域において、巻取ニップの残りの領域よりもスプールに対してより確実に押圧されることが好ましい。
【００２２】
支持ドラムはスプールに対して斜めに設定されることが適切である。
【００２３】
スプールは、巻取直径の増加を補償するために、特に静止または移動可能であり得る。
【００２４】
供給ストリップは、１次領域または２次領域の巻取装置に供給することができる。
【００２５】
したがって、本発明は、特に、例えば
【特許文献４】に記載されているような巻取装置にも適用することができ、またこの巻取装置で、移動可能または変位可能なスプールを介して巻取ニップの線力を設定できる。
【００２６】
本発明による方法によって、供給ストリップが到着する巻取ニップの確実な閉鎖が保証される。大部分の場合、供給ストリップはオペレータ側に供給される。ニップの対応する信頼性の高い閉鎖は、巻取ニップの関連する箇所において、特により確実に押圧することによって達成され、反対側の巻取ニップを開放することも可能であり、すなわち反対側で、線力を値ゼロに低減することもできる。
【００２７】
したがって、線力の非対称の分布が配慮され、特に、オペレータ側の線力が駆動側の線力と異なることが可能である。
【００２８】
供給ストリップの反対側で、支持ドラムまたはスプールが斜めに設定することができる。供給ストリップの反対側で、例えば駆動側で、ゼロの線力が得られる。
【００２９】
例えば、移動可能または変位可能な支持ドラムを介して巻取ニップの線力を設定できる場合、例えば、手順は次の通りであり得る。
【００３０】
供給ストリップの反対側のニップの側面を開放するために、支持ドラムが斜めに設定される。これは、例えば次のように行うことができる。
−例えば支持ドラムを押圧するためのシリンダを介して油圧式に、支持ドラムを移動して離す。この場合、１次装着部の１次アームの空のスプールの位置を固定することが可能である。
−代わりに、追加のシリンダを介し支持ドラムを移動して離すことができる。
−例えば、電気駆動装置、例えばサーボモータ等を介して、スプールを移動して離すことができる。関連側面の支持ドラムは、ストッパに向かって移動することができる。
【００３１】
供給ストリップは、例えば、１次領域（１次アームに固定された空のスプールの位置）に、あるいは２次領域（２次キャリッジによって与えられた入力スプールの位置）に供給することができる。
【００３２】
１次領域に供給する場合、供給ストリップの反対側、例えば駆動側で、例えば支持ドラムを押圧するためのシリンダを介して油圧式に、支持ドラムを移動して離すことができ、対応する間隙が得られる。供給ストリップの反対側、例えば駆動側の支持ドラムは、ストッパに向かって移動することも可能であり、同様に、対応する間隙が得られる。
【００３３】
供給ストリップを２次領域に供給する場合、供給ストリップの反対側、特に駆動側で、例えば支持ドラムを押圧するためのシリンダを介して油圧式に、支持ドラムを移動して離すことができ、対応する間隙が得られる。ストリップの反対側の側面の支持ドラムがストッパに向かって移動する程度に、供給ストリップの反対側、例えば駆動側で、２次キャリッジを移動して離すことも可能であり、再び対応する間隙が得られる。
【００３４】
移動可能または変位可能なスプールを介して巻取ニップの線力を設定できるとしても、例えば、巻取装置の１次領域であるいは２次領域で、供給を再び実施することができる。
【００３５】
１次領域に供給する場合（１次キャリッジにクランプされた空のスプール／１次キャリッジは１次装着部の１次アームに対して移動可能）、例えば、次のステップが考えられる。
−１次キャリッジは、フィードストリップの反対側、例えば駆動側で、例えば油圧式に移動して離され、対応する間隙が得られる。
−１次キャリッジはストッパに向かって移動され、再び対応する間隙が得られる。
【００３６】
１次領域にこのように供給する場合、一般に、スプールホルダを幾分開放できる。
【００３７】
２次領域（２次キャリッジにクランプされた空のスプール）に供給する場合、移動可能または変位可能なスプールを介して線力に対し対応する影響を及ぼす本例の場合、手順は、例えば次の通りであり得る。
−２次キャリッジは、供給ストリップの反対側の、例えば駆動側の支持ドラムから、例えば油圧式に移動して離され、対応する間隙が得られる。
−２次キャリッジはストッパに向かって移動され、対応する間隙が得られる。
【００３８】
２次領域（２次レバーによって支持ドラムに押圧される空のスプール）に供給する場合、手順はまた、例えば次の通りであり得る。
−２次レバーは、適切な間隙を得るために完全に適用されない。
−２次レバーは、適切な間隙を得るためにストッパに向かって移動される。
【００３９】
２次領域に供給する場合、移動可能または変位可能なスプールを介して線力に対し適切な影響を及ぼす場合、したがって、手順は、例えば、２次レバーまたは２次キャリッジが完全に適用されず、この結果、空のスプールが完全に着座しないようなものであり得る。
【００４０】
したがって、本発明による巻取装置は、材料ウェブの供給ストリップを引き渡すために、巻取ニップの線力を、供給ストリップの領域において巻取ニップの残りの領域におけるよりも高い値に設定できることを特徴とする。
【００４１】
本発明による巻取装置の好ましい実施形態は、従属請求項に規定される。
【００４２】
例証的な実施形態を用いてまた図面を参照して、本発明について以下により詳細に説明する。
【発明を実施するための最良の形態】
【００４３】
図１は、供給ストリップの引き渡し中に、移動可能または変位可能な支持ドラム１２が２つの側面に対し等しい高さの押圧力Ｆ１、Ｆ２でスプール１４に押圧される、従来技術による巻取装置１０の概略平面図である。したがって、この結果、支持ドラム１２とスプール１４との間に形成されたニップまたは巻取ニップ１６の線力ＬＫの対称分布が得られる。
【００４４】
図２は、材料ウェブ、特に紙または厚紙ウェブをスプール２０に巻き上げるための本発明による巻取装置１８の模範的な実施形態の概略平面図であり、材料ウェブまたは供給ストリップは支持ドラム２２の上方に導かれ、また巻取ニップ２６は支持ドラム２２とスプール２０との間に形成される。
【００４５】
本発明による巻取装置１８の本発明の模範的な実施形態において、移動可能で変位可能な支持ドラム２２は、供給ストリップの側面に対し他方の側面よりも高い押圧力Ｆ１でスプール２０に押圧される。本例では、ゼロよりも大きな押圧力が各々の場合に２つの側面に生成され、このことは、押圧力Ｆ１と比較してより小さい供給ストリップの反対側の押圧力Ｆ２さえも、ゼロよりもなお大きいことを意味する。図３は、本発明による巻取装置１８の別の実施形態の概略平面図である。
【００４６】
しかし、本例では、支持ドラム２２はスプール２０に対して斜めに設定されるので、支持ドラム２２は、供給ストリップの側面の押圧力Ｆ１でスプール２０に押圧されるに過ぎず、一方、供給ストリップの反対側の巻取ニップ２４は量ａだけ開放されるので、押圧力はこの側面でゼロに低減される。
【００４７】
したがって、本例でも、線力ＬＫの非対称の分布が得られる。
【図面の簡単な説明】
【００４８】
【図１】供給ストリップが引き渡されるまで、移動可能または変位可能な支持ドラムが２つの側面に対し等しい高さの押圧力でスプールに押圧される、従来技術による巻取装置の概略平面図である。
【図２】移動可能または変位可能な支持ドラムが供給ストリップの側面に対し他方の側面よりも高い押圧力でスプールに押圧され、各々の場合にゼロよりも大きな押圧力が両側に生成される、本発明による巻取装置の概略平面図である。
【図３】本発明による巻取装置の別の実施形態の概略平面図であるが、本例では、支持ドラムは斜めに設定され、すなわちこの側面に対する押圧力がゼロに低減されるように、供給ストリップの反対側の巻取ニップが開放される。
【図１】
2005534590.tif 000003
【図２】
2005534590.tif 000004
【図３】
2005534590.tif 000005
【国際調査報告】
2005534590.tif 000006
2005534590.tif 000007
2005534590.tif 000008
2005534590.tif 000009